(57)【要約】【課題】操作者の負担を軽減することを課題とする。【解決手段】ＭＲＩ装置１００は、同一のシリーズに本撮像及び事前撮像が含まれる場合に、シリーズに含まれる複数の撮像を示す一覧情報を、複数の撮像の内いずれか一つの撮像の撮像条件を編集するための編集画面とともに一画面内に表示する。また、ＭＲＩ装置１００は、一覧情報において複数の撮像の内いずれか一つの撮像を選択する選択操作を受け付けると、一画面内に表示中の編集画面を、選択された撮像の撮像条件を編集するための編集画面に切り替えて表示する。【選択図】図１
2011172912.tif 000002
【特許請求の範囲】
【請求項１】
シリーズ相互間に関連性がある場合に、関連性を有する複数のシリーズを示す一覧情報を、該複数のシリーズの内いずれか一つのシリーズの撮像条件を編集するための編集画面とともに一画面内に表示する表示部と、
前記表示部によって表示された一覧情報において前記複数のシリーズの内いずれか一つのシリーズを選択する選択操作を受け付けると、前記一画面内に表示中の編集画面を、選択されたシリーズの撮像条件を編集するための編集画面に切り替えて表示する切替部と
を備えたことを特徴とする医用画像診断装置。
【請求項２】
前記表示部は、前記一覧情報を編集画面とともに表示する際に、前記複数のシリーズの内、表示中の該編集画面に対応するシリーズがいずれであるかが明らかとなるように、該シリーズを強調表示することを特徴とする請求項１に記載の医用画像診断装置。
【請求項３】
前記表示部は、さらに、前記シリーズごとに関心領域が設定された位置決め画像を表示し、
前記切替部は、さらに、前記位置決め画像において複数の前記関心領域の内いずれか一つの関心領域を選択する選択操作を受け付けると、前記一画面内に表示中の編集画面を、選択された関心領域に対応するシリーズの撮像条件を編集するための編集画面に切り替えて表示することを特徴とする請求項１又は２に記載の医用画像診断装置。
【請求項４】
前記一覧情報は、編集画面に付されたタブであることを特徴とする請求項１〜３のいずれか一つに記載の医用画像診断装置。
【請求項５】
前記一覧情報は、位置決め画像上に前記シリーズごとに設定された関心領域であることを特徴とする請求項１〜３のいずれか一つに記載の医用画像診断装置。
【請求項６】
シリーズ相互間に関連性がある場合に、関連性を有する複数のシリーズを示す一覧情報、および、前記シリーズごとに関心領域が設定された位置決め画像を、該複数のシリーズの内いずれか一つのシリーズの撮像条件を編集するための編集画面とともに一画面内に表示する表示部と、
前記表示部によって表示された一覧情報において前記複数のシリーズの内いずれか一つのシリーズを選択する選択操作、または、前記位置決め画像において複数の前記関心領域の内いずれか一つの関心領域を選択する選択操作を受け付けると、前記一画面内に表示中の編集画面を、選択されたシリーズの撮像条件を編集するための編集画面に切り替えて表示する切替部とを備え、
前記表示部は、複数のシリーズの内、表示中の該編集画面に対応するシリーズがいずれであるかが明らかとなるように、一覧情報の内の該シリーズ、および、関心領域の内の該シリーズに対応するもののうち、少なくとも一つを強調表示することを特徴とする医用画像診断装置。
【請求項７】
同一のシリーズに、本撮像、および該本撮像の撮像条件に含まれるパラメータを決定するために該本撮像に先行して行われる事前撮像が含まれる場合に、該シリーズに含まれる複数の撮像を示す一覧情報を、該複数の撮像の内いずれか一つの撮像の撮像条件を編集するための編集画面とともに一画面内に表示する表示部と、
前記表示部によって表示された一覧情報において前記複数の撮像の内いずれか一つの撮像を選択する選択操作を受け付けると、前記一画面内に表示中の編集画面を、選択された撮像の撮像条件を編集するための編集画面に切り替えて表示する切替部と
を備えたことを特徴とする医用画像診断装置。
【請求項８】
前記表示部は、前記一覧情報を編集画面とともに表示する際に、前記シリーズに含まれる複数の撮像の内、表示中の該編集画面に対応する撮像がいずれであるかが明らかとなるように、該撮像を強調表示することを特徴とする請求項７に記載の医用画像診断装置。
【請求項９】
前記表示部は、さらに、前記シリーズに含まれる撮像ごとに関心領域が設定された位置決め画像を表示し、
前記切替部は、さらに、前記位置決め画像において複数の前記関心領域の内いずれか一つの関心領域を選択する選択操作を受け付けると、前記一画面内に表示中の編集画面を、選択された関心領域に対応する撮像の撮像条件を編集するための編集画面に切り替えて表示することを特徴とする請求項７又は８に記載の医用画像診断装置。
【請求項１０】
前記一覧情報は、編集画面に付されたタブであることを特徴とする請求項７〜９のいずれか一つに記載の医用画像診断装置。
【請求項１１】
前記一覧情報は、位置決め画像上に前記シリーズに含まれる撮像ごとに設定された関心領域であることを特徴とする請求項７〜９のいずれか一つに記載の医用画像診断装置。
【請求項１２】
同一のシリーズに、本撮像、および該本撮像の撮像条件に含まれるパラメータを決定するために該本撮像に先行して行われる事前撮像が含まれる場合に、該シリーズに含まれる複数の撮像を示す一覧情報、および、前記シリーズに含まれる撮像ごとに関心領域が設定された位置決め画像を、該複数の撮像の内いずれか一つの撮像の撮像条件を編集するための編集画面とともに一画面内に表示する表示部と、
前記表示部によって表示された一覧情報において前記複数の撮像の内いずれか一つの撮像を選択する選択操作、または、前記位置決め画像において複数の前記関心領域の内いずれか一つの関心領域を選択する選択操作を受け付けると、前記一画面内に表示中の編集画面を、選択された撮像の撮像条件を編集するための編集画面に切り替えて表示する切替部とを備え、
前記表示部は、前記シリーズに含まれる複数の撮像の内、表示中の該編集画面に対応する撮像がいずれであるかが明らかとなるように、一覧情報の内の該撮像、および、関心領域の内の該撮像に対応するもののうち、少なくとも一つを強調表示することを特徴とする医用画像診断装置。
【発明の詳細な説明】
【技術分野】
【０００１】
本発明は、医用画像診断装置に関する。
【背景技術】
【０００２】
一般に、医用画像診断装置による撮像は、予め設定された撮像条件に従って行われる。例えば、撮像計画時、医用画像診断装置の操作者は、医用画像診断装置の表示部に表示された撮像条件編集画面（以下、編集画面）を見ながら撮像条件を編集する。すると、編集後の撮像条件が医用画像診断装置に設定され、医用画像診断装置は、設定された撮像条件に従って撮像を実行する。なお、特許文献１には、磁気共鳴イメージング装置（以下、ＭＲＩ（Magnetic  Resonance  Imaging）装置）による撮像のための編集画面が開示されている。
【０００３】
ところで、医用画像診断装置による撮像においては、同一のシリーズに複数の撮像が含まれる場合がある。ここで、「シリーズ」とは、撮像条件に従って実行された撮像の単位のことであり、典型的には『１シリーズ』が『１撮像』に対応する。しかしながら、本撮像と事前撮像とが含まれる場合のように、同一のシリーズに複数の撮像が含まれる場合がある。なお、本撮像とは、主たる目的の画像を取得するための撮像のことであり、例えば、診断に用いられる画像を取得するための撮像のことである。また、事前撮像とは、本撮像の撮像条件に含まれるパラメータを決定するために、本撮像に先行して行われる撮像のことである。
【０００４】
このような場合、操作者は、本撮像用の編集画面と事前撮像用の編集画面とを、例えば交互に切り替えて表示させながら、撮像条件の編集を行う。例えば、操作者は、本撮像用の編集画面を見ながら、事前撮像用の編集画面を起動するための操作（例えば事前撮像に関連するパラメータの横に表示されたボタンを押下するなど）を行う。すると、本撮像用の編集画面に替わり事前撮像用の編集画面が表示部に表示される。再び本撮像の撮像条件を編集する場合、操作者は、本撮像用の編集画面を起動するための操作（例えばメニューから該当する撮像を選択するなど）を改めて行う。
【先行技術文献】
【特許文献】
【０００５】
【特許文献１】特開２００６−２５５１８９号公報
【発明の概要】
【発明が解決しようとする課題】
【０００６】
しかしながら、上述した従来の技術では、操作者の負担が大きいという課題があった。すなわち、上述したように、同一のシリーズに複数の撮像が含まれる場合、操作者は、例えば、本撮像用の編集画面と事前撮像用の編集画面とを切り替えながら撮像条件を編集することになるが、その操作は複雑かつ煩雑であった。
【０００７】
なお、上記課題は、同一のシリーズに複数の撮像が含まれる場合のみならず、シリーズ相互間に関連性がある場合にも同様に課題となる。例えば、被検体の全身を撮像する場合、ＭＲＩ装置による撮像においては磁場の均一性の制約があることから、例えば、胸部のシリーズ、腹部のシリーズ、及び下腹部のシリーズに分割して撮像することがある。このような場合、シリーズ相互間には、同じ撮像条件を設定しなければならないといった関連性や、あえて異なる撮像条件を設定しなければならないといった関連性がある場合がある。このため、操作者は、各シリーズの編集画面を切り替えて表示させながら撮像条件の編集を行うことになるが、この場合の操作も、複雑かつ煩雑であった。
【０００８】
本発明は、上記に鑑みてなされたものであって、操作者の負担を軽減することが可能な医用画像診断装置を提供することを目的とする。
【課題を解決するための手段】
【０００９】
上述した課題を解決し、目的を達成するために、請求項１に記載の本発明は、同一のシリーズに、本撮像、および該本撮像の撮像条件に含まれるパラメータを決定するために該本撮像に先行して行われる事前撮像が含まれる場合に、該シリーズに含まれる複数の撮像を示す一覧情報を、該複数の撮像の内いずれか一つの撮像の撮像条件を編集するための編集画面とともに一画面内に表示する表示手段と、前記表示手段によって表示された一覧情報において前記複数の撮像の内いずれか一つの撮像を選択する選択操作を受け付けると、前記一画面内に表示中の編集画面を、選択された撮像の撮像条件を編集するための編集画面に切り替えて表示する切替手段とを備えたことを特徴とする。
【００１０】
また、請求項４に記載の本発明は、シリーズ相互間に関連性がある場合に、関連性を有する複数のシリーズを示す一覧情報を、該複数のシリーズの内いずれか一つのシリーズの撮像条件を編集するための編集画面とともに一画面内に表示する表示手段と、前記表示手段によって表示された一覧情報において前記複数のシリーズの内いずれか一つのシリーズを選択する選択操作を受け付けると、前記一画面内に表示中の編集画面を、選択されたシリーズの撮像条件を編集するための編集画面に切り替えて表示する切替手段とを備えたことを特徴とする。
【発明の効果】
【００１１】
請求項１又は４に記載の本発明によれば、操作者の負担を軽減することが可能になるという効果を奏する。
【図面の簡単な説明】
【００１２】
【図１】図１は、実施例１に係るＭＲＩ装置１００の構成を示すブロック図である。
【図２】図２は、実施例１における計算機システム２０の構成を示すブロック図である。
【図３】図３は、実施例１におけるシリーズリストの一例を説明するための図である。
【図４】図４は、実施例１における編集画面の一例を説明するための図である。
【図５】図５は、実施例１における編集画面の一例を説明するための図である。
【図６】図６は、実施例１における編集画面の一例を説明するための図である。
【図７】図７は、実施例１における編集画面の一例を説明するための図である。
【図８】図８は、実施例１に係るＭＲＩ装置１００による処理手順を示すフローチャートである。
【図９】図９は、編集画面と位置決め画像との連動を説明するための図である。
【図１０】図１０は、編集画面と位置決め画像との連動を説明するための図である。
【図１１】図１１は、編集画面と位置決め画像との連動を説明するための図である。
【図１２】図１２は、実施例３におけるシリーズリストの一例を説明するための図である。
【図１３】図１３は、シリーズ相互間に関連性がある場合の一例を説明するための図である。
【図１４】図１４は、実施例３における編集画面の一例を説明するための図である。
【図１５】図１５は、実施例３に係るＭＲＩ装置１００による処理手順を示すフローチャートである。
【図１６】図１６は、編集画面と位置決め画像との連動を説明するための図である。
【図１７】図１７は、実施例４に係る編集画面の他の例を説明するための図である。
【図１８】図１８は、実施例４に係る編集画面の他の例を説明するための図である。
【発明を実施するための形態】
【００１３】
以下、本発明に係る医用画像診断装置の実施例を詳細に説明する。なお、以下の実施例により本発明が限定されるものではない。
【実施例１】
【００１４】
［実施例１に係るＭＲＩ装置の構成］
図１を用いて、実施例１に係るＭＲＩ装置１００の構成を説明する。図１は、実施例１に係るＭＲＩ装置１００の構成を示すブロック図である。図１に例示するように、実施例１に係るＭＲＩ装置１００は、特に、静磁場磁石１と、傾斜磁場コイル２と、傾斜磁場電源３と、寝台４と、寝台制御部５と、送信コイル６と、送信部７と、受信コイル８と、受信部９と、シーケンス制御部１０と、計算機システム２０とを備える。
【００１５】
静磁場磁石１は、中空の円筒形状に形成され、内部の空間に一様な静磁場を発生する。静磁場磁石１は、例えば、永久磁石、超伝導磁石などである。傾斜磁場コイル２は、中空の円筒形状に形成され、内部の空間に傾斜磁場を発生する。具体的には、傾斜磁場コイル２は、静磁場磁石１の内側に配置され、傾斜磁場電源３から電流の供給を受けて、スライス方向、位相エンコード方向、及び周波数エンコード方向の傾斜磁場を発生する。傾斜磁場電源３は、シーケンス制御部１０から送られるパルスシーケンス実行データに従って、傾斜磁場コイル２に電流を供給する。
【００１６】
寝台４は、被検体Ｐが載置される天板４ａを備え、天板４ａを、被検体Ｐが載置された状態で傾斜磁場コイル２の空洞（撮像口）内へ挿入する。通常、寝台４は、長手方向が静磁場磁石１の中心軸と平行になるように設置される。寝台制御部５は、寝台４を駆動して、天板４ａを長手方向及び上下方向へ移動する。
【００１７】
送信コイル６は、高周波磁場を発生する。具体的には、送信コイル６は、傾斜磁場コイル２の内側に配置され、送信部７から高周波パルスの供給を受けて、高周波磁場を発生する。送信部７は、シーケンス制御部１０から送られるパルスシーケンス実行データに従って、ラーモア周波数に対応する高周波パルスを送信コイル６に送信する。
【００１８】
受信コイル８は、ＭＲＩエコー信号を受信する。具体的には、受信コイル８は、傾斜磁場コイル２の内側に配置され、高周波磁場の影響によって被検体Ｐから放射されるＭＲＩエコー信号を受信する。また、受信コイル８は、受信したＭＲＩエコー信号を受信部９に出力する。例えば、受信コイル８は、頭部用の受信コイル、脊椎用の受信コイル、腹部用の受信コイルなどである。
【００１９】
受信部９は、シーケンス制御部１０から送られるパルスシーケンス実行データに従って、受信コイル８から出力されたＭＲＩエコー信号に基づきＭＲＩエコー信号データを生成する。具体的には、受信部９は、受信コイル８から出力されたＭＲＩエコー信号をデジタル変換することによってＭＲＩエコー信号データを生成し、生成したＭＲＩエコー信号データをシーケンス制御部１０を介して計算機システム２０に送信する。
【００２０】
シーケンス制御部１０は、傾斜磁場電源３、送信部７、及び受信部９を制御する。具体的には、シーケンス制御部１０は、計算機システム２０から送信されたパルスシーケンス実行データを、傾斜磁場電源３、送信部７、及び受信部９に送信する。
【００２１】
計算機システム２０は、特に、インタフェース部２１と、画像再構成部２２と、記憶部２３と、入力部２４と、表示部２５と、制御部２６とを備える。インタフェース部２１は、シーケンス制御部１０に接続され、シーケンス制御部１０と計算機システム２０との間で送受信されるデータの入出力を制御する。画像再構成部２２は、シーケンス制御部１０から送信されたＭＲＩエコー信号データから画像データを再構成し、再構成した画像データを記憶部２３に格納する。
【００２２】
記憶部２３は、画像再構成部２２によって格納された画像データや、ＭＲＩ装置１００において用いられるその他のデータを記憶する。例えば、記憶部２３は、ＲＡＭ（Random  Access  Memory）、ＲＯＭ（Read  Only  Memory）、フラッシュメモリ（flash  memory）などの半導体メモリ素子、または、ハードディスク、光ディスクなどである。
【００２３】
入力部２４は、撮像条件の編集操作などを操作者から受け付ける。例えば、入力部２４は、マウスやトラックボールなどのポインティングデバイス、モード切替スイッチ等の選択デバイス、あるいはキーボード等の入力デバイスである。表示部２５は、画像データ、編集画面などを表示する。例えば、表示部２５は、液晶表示器などの表示デバイスである。
【００２４】
制御部２６は、上記各部を制御することによってＭＲＩ装置１００を総括的に制御する。例えば、制御部２６は、ＡＳＩＣ（Application  Specific  Integrated  Circuit）やＦＰＧＡ（Field  Programmable  Gate  Array）などの集積回路、または、ＣＰＵ（Central  Processing  Unit）やＭＰＵ（Micro  Processing  Unit）などの電子回路である。
【００２５】
［実施例１における計算機システム２０の構成］
ところで、実施例１に係るＭＲＩ装置１００は、同一のシリーズに本撮像及び事前撮像が含まれる場合に、複数の撮像を示す一覧情報を編集画面とともに一画面内に表示する。そして、ＭＲＩ装置１００は、撮像を選択する選択操作を受け付けると、一画面内に表示中の編集画面を、選択された撮像の撮像条件を編集するための編集画面に切り替えて表示する。このようなＭＲＩ装置１００の機能は、実施例１において、主に計算機システム２０において実現される。そこで、以下では、実施例１における計算機システム２０を詳細に説明する。
【００２６】
図２は、実施例１における計算機システム２０の構成を示すブロック図である。図２に例示するように、実施例１における記憶部２３は、特に、編集画面情報記憶部２３ａを有する。編集画面情報記憶部２３ａは、編集画面の定義情報、撮像条件のプリセット情報や編集後の撮像条件の設定情報など、後述する編集画面表示制御部２６ｂによる処理や、事前撮像及び本撮像に必要な各種情報を記憶する。また、実施例１における制御部２６は、特に、シリーズ選択受付部２６ａと、編集画面表示制御部２６ｂと、編集操作受付部２６ｃと、撮像選択操作受付部２６ｄと、編集画面切替部２６ｅとを有する。
【００２７】
シリーズ選択受付部２６ａは、撮像条件の編集対象となるシリーズの選択を受け付ける。具体的には、シリーズ選択受付部２６ａは、シリーズの一覧（以下、シリーズリスト）を表示部２５に表示し、シリーズの選択を受け付けると、受け付けた情報を編集画面表示制御部２６ｂに通知する。図３は、実施例１におけるシリーズリストの一例を説明するための図である。例えば、シリーズ選択受付部２６ａは、図３に例示するように、シリーズリストを記憶する外部の記憶装置などから該当する検査のシリーズリストを取得して表示部２５に表示し、シリーズリスト上で、シリーズの選択を受け付ける。図３においては、シリーズの通し番号が『２０００』であり、シリーズの識別情報が『ＶｉｓｕａｌＰｒｅｐ付  ＦＥ（Filed  echo）＿ｓｌｔ』であるシリーズが選択されたことを示す。なお、シリーズリストに表示される識別情報は、シリーズを識別することができる情報であればどのような情報であってもよい。必ずしも後述するタブ（tab）に記載される識別情報と同一の情報である必要はなく、また、必ずしもタブに記載される識別情報を含む情報である必要もない。
【００２８】
ここで、実施例１においては、同一のシリーズに本撮像及び事前撮像が含まれる場合の一例として、造影ＭＲＡ（Magnetic  Resonance  Angiography）を挙げて説明する。なお、実施例１においては、識別情報『ＶｉｓｕａｌＰｒｅｐ付  ＦＥ＿ｓｌｔ』で識別されるシリーズは、造影ＭＲＡのシリーズであり、識別情報『ＦＥ（Filed  echo）＿ｓｌｔ』で識別される本撮像、及び、識別情報『Ｐｒｅｐ』で識別される事前撮像が含まれるものとして説明する。
【００２９】
造影ＭＲＡと呼ばれる撮像においては、縦緩和時間（Ｔ1）短縮効果を有する造影剤が急速に被検体内に注入され、ＭＲＩ装置は、造影剤が混入した血管を撮像する。ここで、造影ＭＲＡにおける撮像時間は、数秒から数十秒程度であり、このため、１回の造影剤注入において、通常１回の撮像しか許されない。一方、造影剤は、撮像対象となる部位（以下、対象部位）とは離れた位置から注入される。このため、造影剤が対象部位に到達してコントラストの良い画像が得られるようになるタイミングは、造影剤の注入タイミングに対して遅れる。しかも、その遅延時間は、被検体の心拍数や血圧、血流速度などに依存するため、一定ではない。このような事情から、造影ＭＲＡにおいては、撮影タイミングを適切に設定することが重要であり、このため、本撮像に先行して事前撮像が行われる。
【００３０】
事前撮像の手法は様々であるが、例えば、実施例１に係るＭＲＩ装置１００は、事前撮像において、対象部位に近いモニタ領域から連続的にＭＲＩエコー信号を取得する。そして、ＭＲＩ装置１００は、取得したＭＲＩエコー信号の強度が所定閾値以上に上昇すると、そのタイミングに同期して本撮像を開始する。
【００３１】
編集画面表示制御部２６ｂは、同一のシリーズに本撮像及び事前撮像が含まれる場合に、シリーズに含まれる複数の撮像を示す一覧情報を、複数の撮像の内いずれか一つの撮像の撮像条件を編集するための編集画面とともに一画面内に表示する。具体的には、編集画面表示制御部２６ｂは、シリーズ選択受付部２６ａからシリーズの情報を受け付けると、編集画面情報記憶部２３ａを参照して該当する編集画面を取得し、取得した編集画面を表示部２５に表示する。
【００３２】
図４〜７は、実施例１における編集画面の一例を説明するための図である。例えば、編集画面表示制御部２６ｂは、図４〜７に例示するような編集画面を表示する。なお、図４〜７に例示する各編集画面は、操作者による操作を受け付けたことに伴う編集画面の変遷を示すものである。
【００３３】
まず、実施例１において、編集画面表示制御部２６ｂは、例えば図４に例示する編集画面を表示部２５に表示する。外枠は、表示部２５に表示される１つのウィンドウの区切りを示し、右上の×印は、このウィンドウを閉じるための操作を受け付けるアイコンを示す。編集画面表示制御部２６ｂは、ウィンドウ内に、タブ付きの編集画面を表示する。
【００３４】
実施例１においては、識別情報『ＦＥ＿ｓｌｔ』で識別される撮像が、本撮像である。このため、編集画面表示制御部２６ｂは、まず、本撮像用の編集画面として、識別情報『ＦＥ＿ｓｌｔ』が記載されたタブ付きの編集画面を表示する。編集画面内には、撮像条件に含まれる各パラメータを設定するための操作ツールが並んでいる。
【００３５】
なお、編集画面に表示される操作ツールは、本撮像の撮像条件を編集するための操作ツールであるが、必ずしも全ての操作ツールが表示されなければならないわけではなく、予め選択された任意の操作ツールが表示されるものであってもよい。例えば、数多くの撮像条件のうち、操作者によって編集される可能性の高い撮像条件に対応する操作ツールのみが予め選択され、編集画面内に適宜配置されて表示されるものであってもよい。また、例えば、撮像条件を階層的に分類することで同時に表示する情報の量を減らし、必要に応じて階層ボタンが押下されることで操作ツールが表示されるものであってもよい。すなわち、編集画面にどのように操作ツールが配置され、表示されるかは、任意であり、この点は、後述する事前撮像用の編集画面や、後述する実施例における他の編集画面においても同様である。
【００３６】
ここで、実施例１において、事前撮像とは、本撮像の撮像条件に含まれるパラメータを決定するために本撮像に先行して行われる撮像のことである。図４に例示する編集画面にも、本撮像の撮像条件に含まれるパラメータ『ＶｉｓｕａｌＰｒｅｐ』を設定するための操作ツールが表示されている。
【００３７】
さて、操作者が、図４に例示した編集画面を見ながら、パラメータ『ＶｉｓｕａｌＰｒｅｐ』の設定を『Ｏｆｆ』から『Ｏｎ』に変更する操作を行うとする。事前撮像を行うことを選択する操作である。例えば、図５に例示するように、操作者は、プルダウンメニューを開いて『Ｏｎ』をマウスでクリックする。すると、例えば、図６に例示するように、パラメータ『ＶｉｓｕａｌＰｒｅｐ』の設定は、『Ｏｆｆ』から『Ｏｎ』に変更される。
【００３８】
ここで、実施例１においては、識別情報『Ｐｒｅｐ』で識別される撮像が、事前撮像である。このため、編集画面表示制御部２６ｂは、図６に例示するように、識別情報『ＦＥ＿ｓｌｔ』が記載されたタブのみならず、識別情報『Ｐｒｅｐ』が記載されたタブも付された編集画面を表示する。すなわち、編集画面表示制御部２６ｂは、同一のシリーズに含まれる複数の撮像を示す一覧情報として、タブを表示している。また、編集画面内には、図４及び５と同様、本撮像の撮像条件に含まれる各パラメータを設定するための操作ツールが並んでいる。すなわち、編集画面表示制御部２６ｂは、同一のシリーズに含まれる複数の撮像を示す一覧情報を、本撮像用の編集画面とともに一画面内に表示している。
【００３９】
また、実施例１において、編集画面表示制御部２６ｂは、一覧情報を編集画面とともに表示する際に、同一のシリーズに含まれる複数の撮像の内、表示中の編集画面に対応する撮像がいずれであるかが明らかとなるように、撮像を強調表示する。例えば、図６に例示するように、編集画面表示制御部２６ｂは、表示中の編集画面が本撮像用の編集画面である場合には、識別情報『ＦＥ＿ｓｌｔ』が記載されたタブの方が識別情報『Ｐｒｅｐ』が記載されたタブよりも強調表示されるように、例えば識別情報『Ｐｒｅｐ』が記載されたタブを輝度の低い色で表示する。
【００４０】
図２に戻り、編集操作受付部２６ｃは、編集画面に対する操作を受け付ける。具体的には、編集操作受付部２６ｃは、編集画面表示制御部２６ｂによって表示部２５に表示された編集画面に対する操作を、入力部２４を介して操作者から受け付けると、受け付けた操作内容を編集画面情報記憶部２３ａに格納するとともに、編集画面表示制御部２６ｂに通知する。なお、編集画面情報記憶部２３ａは、編集後の撮像条件の設定情報を記憶することになり、編集画面表示制御部２６ｂは、編集後の撮像条件の設定情報を編集画面に表示することになる。
【００４１】
撮像選択操作受付部２６ｄは、同一のシリーズに含まれる複数の撮像の内いずれか一つの撮像を選択する選択操作を受け付ける。具体的には、撮像選択操作受付部２６ｄは、編集画面表示制御部２６ｂによって表示部２５に表示された一覧情報に対する選択操作を、入力部２４を介して操作者から受け付けると、受け付けた選択内容を編集画面切替部２６ｅに通知する。例えば、図６に例示する編集画面において、操作者が、識別情報『Ｐｒｅｐ』が記載されたタブをマウスによってクリックすると、撮像選択操作受付部２６ｄは、識別情報『Ｐｒｅｐ』が選択されたとの選択内容を編集画面切替部２６ｅに通知する。
【００４２】
編集画面切替部２６ｅは、一画面内に表示中の編集画面を、選択された撮像の撮像条件を編集するための編集画面に切り替えて表示する。具体的には、編集画面切替部２６ｅは、撮像選択操作受付部２６ｄから選択内容を受け付けると、選択された撮像の撮像条件を編集するための編集画面に切り替えて表示するように、編集画面表示制御部２６ｂに通知する。例えば、編集画面切替部２６ｅは、識別情報『Ｐｒｅｐ』の撮像条件を編集するための編集画面に切り替えて表示するように、編集画面表示制御部２６ｂに通知する。
【００４３】
すると、編集画面表示制御部２６ｂは、例えば、図７に例示するように、図４〜６に例示した本撮像用の編集画面とは異なり、事前撮像の撮像条件に含まれる各パラメータを設定するための操作ツールを表示する。すなわち、編集画面表示制御部２６ｂは、同一のシリーズに含まれる複数の撮像を示す一覧情報を、事前撮像用の編集画面とともに一画面内に表示している。このとき、編集画面表示制御部２６ｂは、識別情報『Ｐｒｅｐ』が記載されたタブの方が識別情報『ＦＥ＿ｓｌｔ』が記載されたタブよりも強調表示されるように、例えば識別情報『ＦＥ＿ｓｌｔ』が記載されたタブを輝度の低い色で表示する。
【００４４】
［実施例１に係るＭＲＩ装置１００による処理手順］
続いて、図８を用いて、実施例１に係るＭＲＩ装置１００による処理手順を説明する。図８は、実施例１に係るＭＲＩ装置１００による処理手順を示すフローチャートである。
【００４５】
実施例１において、シリーズ選択受付部２６ａが、撮像条件の編集対象となるシリーズの選択を受け付けたか否かを判定している（ステップＳ１０１）。受け付けていない場合には（ステップＳ１０１否定）、シリーズ選択受付部２６ａは、撮像条件の編集対象となるシリーズの選択を受け付けたか否かを判定する処理に戻る。
【００４６】
一方、受け付けた場合には（ステップＳ１０１肯定）、次に、編集画面表示制御部２６ｂが、編集画面を表示部２５に表示する（ステップＳ１０２）。このとき、編集画面表示制御部２６ｂは、同一のシリーズに含まれる複数の撮像それぞれの識別情報が記載されたタブ付きの本撮像用の編集画面を表示する。
【００４７】
続いて、編集画面表示制御部２６ｂは、本撮像用の編集画面において、パラメータ『ＶｉｓｕａｌＰｒｅｐ』の設定を『Ｏｆｆ』から『Ｏｎ』に変更する操作を受け付けたか否かを判定している（ステップＳ１０３）。
【００４８】
編集画面表示制御部２６ｂがパラメータ『ＶｉｓｕａｌＰｒｅｐ』の設定を『Ｏｎ』に変更する操作を受け付けない場合に（ステップＳ１０３否定）、編集操作受付部２６ｃが他のパラメータに対する編集操作を受け付けた場合には（ステップＳ１０４肯定）、編集画面表示制御部２６ｂは、編集後の撮像条件の設定情報を編集画面に表示し（ステップＳ１０５）、再び、パラメータ『ＶｉｓｕａｌＰｒｅｐ』の設定を『Ｏｆｆ』から『Ｏｎ』に変更する操作を受け付けたか否かを判定する処理に戻る。
【００４９】
一方、編集画面表示制御部２６ｂがパラメータ『ＶｉｓｕａｌＰｒｅｐ』の設定を『Ｏｎ』に変更する操作を受け付けた場合（ステップＳ１０３肯定）、編集画面表示制御部２６ｂは、識別情報『ＦＥ＿ｓｌｔ』が記載されたタブのみならず、識別情報『Ｐｒｅｐ』が記載されたタブも表示する（ステップＳ１０６）。
【００５０】
すると、撮像選択操作受付部２６ｄが、同一のシリーズに含まれる複数の撮像の内いずれか一つの撮像を選択する選択操作を受け付けたか否かを判定する（ステップＳ１０７）。撮像選択操作受付部２６ｄが選択操作を受け付けない場合に（ステップＳ１０７否定）、編集操作受付部２６ｃがパラメータに対する編集操作を受け付けた場合には（ステップＳ１０９肯定）、編集画面表示制御部２６ｂが、編集後の撮像条件の設定情報を編集画面に表示する（ステップＳ１１０）。
【００５１】
一方、撮像選択操作受付部２６ｄが選択操作を受け付けた場合（ステップＳ１０７肯定）、編集画面切替部２６ｅが、表示中の編集画面を、選択された撮像の撮像条件を編集するための編集画面に切り替えて表示するように編集画面表示制御部２６ｂに通知し、編集画面表示制御部２６ｂは、編集画面を切り替えて表示する（ステップＳ１０８）。
【００５２】
その後は同様に、編集操作受付部２６ｃがパラメータに対する編集操作を受け付けた場合には（ステップＳ１０９肯定）、編集画面表示制御部２６ｂが、編集後の撮像条件の設定情報を編集画面に表示する（ステップＳ１１０）。
【００５３】
［実施例１の効果］
上述したように、実施例１によれば、編集画面表示制御部２６ｂが、同一のシリーズに本撮像及び事前撮像が含まれる場合に、シリーズに含まれる複数の撮像を示す一覧情報を、いずれか一つの撮像の撮像条件を編集するための編集画面とともに一画面内に表示する。また、撮像選択操作受付部２６ｄが、編集画面表示制御部２６ｂによって表示された一覧情報において複数の撮像の内いずれか一つの撮像を選択する選択操作を受け付ける。また、編集画面切替部２６ｅ及び編集画面表示制御部２６ｂが、一画面内に表示中の編集画面を、選択された撮像の撮像条件を編集するための編集画面に切り替えて表示する。
【００５４】
このように、実施例１によれば、操作者は、一覧情報（実施例１においてはタブ）を使って編集画面を簡便に切り替えることができるので、操作者の負担を軽減することが可能になる。
【００５５】
また、実施例１によれば、編集画面表示制御部２６ｂは、一覧情報を編集画面とともに表示する際に、シリーズに含まれる複数の撮像の内、表示中の編集画面に対応する撮像がいずれであるかが明らかとなるように、該当する撮像を強調表示する。本撮像用の編集画面と事前撮像用の編集画面とは一見すると類似する画面であることが多く、従来、操作者は、どの撮像条件を編集しているかを感覚的に把握することが難しかった。この点、実施例１によれば、操作者は、どの撮像条件を編集しているかを視覚的に把握することが可能になり、この点においても、操作者の負荷を軽減することが可能になる。ひいては、操作者によるミスオペレーションを減少させることも可能になる。
【実施例２】
【００５６】
次に、実施例２に係るＭＲＩ装置１００を説明する。実施例２に係るＭＲＩ装置１００は、実施例１に係るＭＲＩ装置１００と同様の機能に加え、編集画面の切替が、位置決め画像上に示された関心領域（以下、ＲＯＩ（Region  Of  Interest））と連動する機能を有する。以下、図９〜１１を用いて、実施例２に係るＭＲＩ装置１００を説明する。
【００５７】
図９〜１１は、編集画面と位置決め画像との連動を説明するための図である。図９〜１１において、ＲＯＩは、点線の枠にて示される。図９に例示する位置決め画像に示されるＲＯＩが、本撮像時のＲＯＩであり、図１０に例示する位置決め画像に示されるＲＯＩが、事前撮像時のＲＯＩであるとする。なお、位置決め画像は、例えば、予め撮像された複数枚の画像の中から一枚又は数枚の画像が親画像として選択されたものである。
【００５８】
実施例２において、ＲＯＩの情報は、記憶部２３に記憶されているが、例えば、撮像の識別情報と対応付けて記憶されている。例えば、本撮像時のＲＯＩの情報は、撮像の識別情報『ＦＥ＿ｓｌｔ』と対応付けて記憶され、事前撮像時のＲＯＩの情報は、撮像の識別情報『Ｐｒｅｐ』と対応付けて記憶される。
【００５９】
さて、編集画面表示制御部２６ｂは、本撮像用の編集画面として、識別情報『ＦＥ＿ｓｌｔ』が記載されたタブ付きの編集画面を表示するとともに、予め収集された位置決め画像も表示部２５に表示する。例えば、実施例２における編集画面表示制御部２６ｂは、図９に例示する位置決め画像を他のウィンドウで表示する。
【００６０】
続いて、例えば、図６に例示したように、パラメータ『ＶｉｓｕａｌＰｒｅｐ』の設定が『Ｏｆｆ』から『Ｏｎ』に変更されると、編集画面表示制御部２６ｂは、識別情報『ＦＥ＿ｓｌｔ』が記載されたタブのみならず、識別情報『Ｐｒｅｐ』が記載されたタブも付された編集画面を表示するとともに、図１１に例示する位置決め画像も、他のウィンドウで表示する。
【００６１】
ここで、図１１に例示する位置決め画像には、本撮像時のＲＯＩと事前撮像時のＲＯＩとが両方表示されている。各ＲＯＩは、上述したように、それぞれ、識別情報『ＦＥ＿ｓｌｔ』、識別情報『Ｐｒｅｐ』と対応付けて記憶されている。このため、例えば、操作者が、位置決め画像上のＲＯＩの内、事前撮像時のＲＯＩをマウスによってクリックすると、撮像選択操作受付部２６ｄは、事前撮像時のＲＯＩが選択されたとの選択内容を編集画面切替部２６ｅに通知する。なお、このとき、図１１の例では、選択された事前撮像時のＲＯＩの方が、本撮像時のＲＯＩよりも強調表示される。例えば、事前撮像時のＲＯＩは実線で表示され、本撮像時のＲＯＩは点線で表示される。
【００６２】
すると、実施例２における編集画面切替部２６ｅは、記憶部２３を参照し、事前撮像時のＲＯＩの情報が識別情報『Ｐｒｅｐ』と対応付けて記憶されていることから、識別情報『Ｐｒｅｐ』の撮像条件を編集するための編集画面に切り替えて表示するように、編集画面表示制御部２６ｂに通知する。すると、編集画面表示制御部２６ｂは、例えば、図１１の右に例示するように、事前撮像の撮像条件に含まれる各パラメータを設定するための操作ツールを表示する。
【００６３】
また、上述したように、編集画面は位置決め画像上に示されたＲＯＩと連動している。このため、例えば反対に、操作者が、識別情報『ＦＥ＿ｓｌｔ』が記載されたタブをマウスによって再びクリックすると、今度は、本撮像時のＲＯＩが強調表示される。
【００６４】
具体的には、撮像選択操作受付部２６ｄは、識別情報『ＦＥ＿ｓｌｔ』が選択されたとの選択内容を編集画面切替部２６ｅに通知し、編集画面切替部２６ｅは、識別情報『ＦＥ＿ｓｌｔ』の撮像条件を編集するための編集画面に切り替えて表示するように、編集画面表示制御部２６ｂに通知する。すると、編集画面表示制御部２６ｂは、一画面内に表示中の編集画面を、本撮像の撮像条件を編集するための編集画面に切り替えて表示するとともに、本撮像時のＲＯＩを強調表示する。すなわち、編集画面表示制御部２６ｂは、本撮像時のＲＯＩの情報が識別情報『ＦＥ＿ｓｌｔ』と対応付けて記憶されていることから、本撮像時のＲＯＩが事前撮像時のＲＯＩよりも強調表示されるように、例えば本撮像時のＲＯＩを実線で表示し、事前撮像時のＲＯＩを点線で表示する。なお、強調表示は、他の手法によって行われてもよい。例えば、輝度の違いで強調表示してもよい。
【００６５】
このように、ＲＯＩと編集画面とは連動しており、ＲＯＩを選択することで編集画面を切り替えることができる。このとき、選択中のＲＯＩや編集画面のタブを強調表示（選択状態に）することもできる。また反対に、編集画面のタブを選択することで、選択中の編集画面に対応するＲＯＩを強調表示（選択状態に）することもできる。
【００６６】
［実施例２の効果］
上述したように、実施例２によれば、編集画面表示制御部２６ｂは、さらに、シリーズに含まれる撮像ごとにＲＯＩが設定された位置決め画像を表示する。また、撮像選択操作受付部２６ｄは、さらに、位置決め画像において複数のＲＯＩの内いずれか一つのＲＯＩを選択する選択操作を受け付ける。また、編集画面切替部２６ｅ及び編集画面表示制御部２６ｂは、さらに、一画面内に表示中の編集画面を、選択されたＲＯＩに対応する撮像の撮像条件を編集するための編集画面に切り替えて表示する。
【００６７】
このようなことから、実施例２によれば、編集画面の切替が、位置決め画像上に表示されたＲＯＩとも連動するので、操作者は、タブもしくはＲＯＩのいずれによっても編集画面を切り替えることができ、より簡便かつ柔軟に編集画面を切り替えることができる。この結果、操作者の負担をより軽減することが可能になる。
【００６８】
なお、実施例２においては、１つのタブ付きの編集画面と１つのＲＯＩとが対応付けられ、１つのタブ付きの編集画面に対応して１つのＲＯＩが表示される例を説明したが、これに限られるものではない。１つのタブ付きの編集画面に対応して複数のＲＯＩが表示される場合であってもよい。例えば、マルチスラブ法においては、撮像領域（例えば脊椎など）を複数のスラブ（複数のスライス）に分割し、それぞれ個別にデータ収集を行うといった撮像が行われることがある。このような場合、１つの本撮像用の編集画面と複数のＲＯＩとが対応付けられ、１つのタブ付きの編集画面に対応して複数のＲＯＩが表示される。また、例えば、撮像領域を通過する動脈の上流部分にプレパルスを印加することで、撮像領域に流入する血液に標識を付加し、プレパルスを印加してから撮像条件に設定された所定時間が経過すると、撮像領域のデータを収集する撮像がある。このように、プレパルスの印加を伴う撮像などの場合、１つの撮像用の編集画面と複数のＲＯＩ（プレパルス用のＲＯＩ及び撮像領域のＲＯＩ）とが対応付けられ、１つのタブ付きの編集画面に対応して複数のＲＯＩが表示される。他の実施例においても同様である。
【実施例３】
【００６９】
さて、実施例１及び２においては、同一のシリーズに複数の撮像が含まれる場合について説明してきたが、本発明はこれに限られるものではなく、シリーズ相互間に関連性がある場合にも、操作者の負担を軽減することが可能である。以下、実施例３に係るＭＲＩ装置１００として説明する。
【００７０】
実施例３におけるシリーズ選択受付部２６ａは、例えば、広領域撮像を行うとの指示情報に基づいて、実施例１と同様、シリーズリストを記憶する外部の記憶装置などから該当するシリーズリストを取得して表示部２５に表示し、シリーズの選択を受け付けると、受け付けた情報を編集画面表示制御部２６ｂに通知する。ここで、広領域撮像とは、被検体の複数部位にまたがる広い範囲を撮像することである。このような場合には、例えば、被検体が載せられた天板を移動しながら部分的に重複した複数の画像を撮像し、撮像した画像をつなぎ合わせて１枚の画像に合成する手法が用いられる。このように、複数の画像をつなぎ合わせて１枚の画像に合成する処理を「スティッチング（stitching）処理」と呼び、スティッチング処理によって得られる合成画像を「スティッチング画像」と呼ぶ。また、以下では、天板を移動しながら行われる１回の撮像を「ステーション（station）」と呼ぶ。
【００７１】
図１２は、実施例３におけるシリーズリストの一例を説明するための図である。例えば、シリーズ選択受付部２６ａは、図１２に例示するように、広領域撮像のシリーズリストを表示部２５に表示し、シリーズリスト上で、シリーズの選択を受け付ける。図１２において、シリーズの通し番号が『１００』の『Ｌｏｃａｔｏｒ』は、位置決め画像の親画像の撮像のことであり、また、広領域撮像として３ステーションの撮像（『胸部』、『腹部』、及び『下腹部』の撮像）を想定している。図１２においては、シリーズの通し番号が『２００』であってシリーズの識別情報が『胸部』であるシリーズ、シリーズの通し番号が『３００』であってシリーズの識別情報が『腹部』であるシリーズ、シリーズの通し番号が『４００』であってシリーズの識別情報が『下腹部』であるシリーズの３つのシリーズが選択されたことを示す。
【００７２】
図１３は、シリーズ相互間に関連性がある場合の一例を説明するための図である。実施例３においては、シリーズ相互間に関連性がある場合の一例として、図１３に例示するように、胸部のシリーズ、腹部のシリーズ、及び下腹部のシリーズに分割して撮像する場合を説明する。
【００７３】
このような場合、シリーズ相互間には、同じ撮像条件を設定しなければならないといった関連性や、あえて異なる撮像条件を設定しなければならないといった関連性がある場合がある。このため、従来、操作者は、各シリーズの編集画面を切り替えて表示させながら撮像条件の編集を行うことになるが、この場合の操作も、複雑かつ煩雑であった。また、この場合も、操作者は、どのシリーズの撮像条件を編集しているかを感覚的に把握することが難しかった。
【００７４】
この点、実施例３における編集画面表示制御部２６ｂは、関連性を有する複数のシリーズを示す一覧情報を、複数のシリーズの内いずれか一つのシリーズの撮像条件を編集するための編集画面とともに一画面内に表示する。例えば、編集画面表示制御部２６ｂは、シリーズ選択受付部２６ａから３つのシリーズの情報を受け付けると、１つのシリーズ（例えば、腹部のシリーズ）を選択し、編集画面情報記憶部２３ａを参照して該当するシリーズの編集画面を取得し、取得した編集画面を表示部２５に表示する。
【００７５】
図１４は、実施例３における編集画面の一例を説明するための図である。実施例３における編集画面表示制御部２６ｂは、図１４に例示するように、識別情報『腹部』が記載されたタブのみならず、識別情報『胸部』及び識別情報『下腹部』が記載されたタブも付された編集画面を表示する。すなわち、編集画面表示制御部２６ｂは、関連性を有する複数のシリーズを示す一覧情報として、タブを表示している。また、編集画面内には、腹部のシリーズの撮像条件に含まれる各パラメータを設定するための操作ツールが並んでいる（図１４において図示を省略）。すなわち、編集画面表示制御部２６ｂは、関連性を有する複数のシリーズを示す一覧情報を、腹部のシリーズ用の編集画面とともに一画面内に表示している。
【００７６】
なお、ここでは、『胸部』、『腹部』、及び『下腹部』の３つのシリーズが選択されたことにより、関連性を有する複数のシリーズを示す一覧情報として、この３つのシリーズに対応するタブを表示するものとして説明したが、これに限られるものではない。例えば、ＭＲＩ装置１００が、『胸部』、『腹部』、及び『下腹部』の３つのシリーズに関連性があるとの情報を予め記憶部２３に記憶していたとする。この場合、例えば３つのシリーズの内のひとつ『腹部』が選択されると、編集画面表示制御部２６ｂは、記憶部２３を参照し、『胸部』、『腹部』、及び『下腹部』の３つのシリーズに関連性があるとの情報とに基づいて、３つのシリーズ全てを示す一覧情報を、腹部のシリーズ用の編集画面とともに一画面内に表示する。
【００７７】
また、実施例３において、編集画面表示制御部２６ｂは、一覧情報を編集画面とともに表示する際に、複数のシリーズの内、表示中の編集画面に対応するシリーズがいずれであるかが明らかとなるように、シリーズを強調表示する。例えば、図１４に例示するように、編集画面表示制御部２６ｂは、表示中の編集画面が腹部のシリーズ用の編集画面である場合には、識別情報『腹部』が記載されたタブの方が、識別情報『胸部』が記載されたタブ及び識別情報『下腹部』が記載されたタブよりも強調表示されるように、例えば、識別情報『胸部』が記載されたタブ及び識別情報『下腹部』が記載されたタブを、輝度の低い色で表示する。
【００７８】
実施例３における撮像選択操作受付部２６ｄは、複数のシリーズの内いずれか一つのシリーズを選択する選択操作を受け付ける。具体的には、撮像選択操作受付部２６ｄは、編集画面表示制御部２６ｂによって表示部２５に表示された一覧情報に対する選択操作を、入力部２４を介して操作者から受け付けると、受け付けた選択内容を編集画面切替部２６ｅに通知する。例えば、図１４に例示する編集画面において、操作者が、識別情報『下腹部』が記載されたタブをマウスによってクリックすると、撮像選択操作受付部２６ｄは、識別情報『下腹部』が選択されたとの選択内容を編集画面切替部２６ｅに通知する。
【００７９】
実施例３における編集画面切替部２６ｅは、一画面内に表示中の編集画面を、選択されたシリーズの撮像条件を編集するための編集画面に切り替えて表示する。具体的には、編集画面切替部２６ｅは、撮像選択操作受付部２６ｄから選択内容を受け付けると、選択されたシリーズの撮像条件を編集するための編集画面に切り替えて表示するように、編集画面表示制御部２６ｂに通知する。例えば、編集画面切替部２６ｅは、識別情報『下腹部』の撮像条件を編集するための編集画面に切り替えて表示するように、編集画面表示制御部２６ｂに通知する。
【００８０】
すると、実施例３における編集画面表示制御部２６ｂは、下腹部のシリーズの撮像条件に含まれる各パラメータを設定するための操作ツールを表示する。すなわち、編集画面表示制御部２６ｂは、関連性を有する複数のシリーズを示す一覧情報を、下腹部のシリーズ用の編集画面とともに一画面内に表示する。このとき、編集画面表示制御部２６ｂは、識別情報『下腹部』が記載されたタブの方が、識別情報『胸部』が記載されたタブ及び識別情報『腹部』が記載されたタブよりも強調表示されるように、例えば、識別情報『胸部』が記載されたタブ及び識別情報『腹部』が記載されたタブを、輝度の低い色で表示する。
【００８１】
［実施例３に係るＭＲＩ装置１００による処理手順］
続いて、図１５を用いて、実施例３に係るＭＲＩ装置１００による処理手順を説明する。図１５は、実施例３に係るＭＲＩ装置１００による処理手順を示すフローチャートである。
【００８２】
実施例３において、シリーズ選択受付部２６ａが、撮像条件の編集対象となるシリーズの選択を受け付けたか否かを判定している（ステップＳ２０１）。受け付けていない場合には（ステップＳ２０１否定）、シリーズ選択受付部２６ａは、撮像条件の編集対象となるシリーズの選択を受け付けたか否かを判定する処理に戻る。
【００８３】
一方、受け付けた場合には（ステップＳ２０１肯定）、次に、編集画面表示制御部２６ｂが、編集画面を表示部２５に表示する（ステップＳ２０２）。このとき、編集画面表示制御部２６ｂは、関連性を有する複数のシリーズそれぞれの識別情報が記載されたタブ付きの初期の編集画面を表示する。
【００８４】
すると、撮像選択操作受付部２６ｄが、複数のシリーズの内いずれか一つのシリーズを選択する選択操作を受け付けたか否かを判定する（ステップＳ２０３）。撮像選択操作受付部２６ｄが選択操作を受け付けない場合に（ステップＳ２０３否定）、編集操作受付部２６ｃがパラメータに対する編集操作を受け付けた場合には（ステップＳ２０５肯定）、編集画面表示制御部２６ｂが、編集後の撮像条件の設定情報を編集画面に表示する（ステップＳ２０６）。
【００８５】
一方、撮像選択操作受付部２６ｄが選択操作を受け付けた場合（ステップＳ２０３肯定）、編集画面切替部２６ｅが、表示中の編集画面を、選択されたシリーズの撮像条件を編集するための編集画面に切り替えて表示するように編集画面表示制御部２６ｂに通知し、編集画面表示制御部２６ｂは、編集画面を切り替えて表示する（ステップＳ２０４）。
【００８６】
その後は同様に、編集操作受付部２６ｃがパラメータに対する編集操作を受け付けた場合には（ステップＳ２０５肯定）、編集画面表示制御部２６ｂが、編集後の撮像条件の設定情報を編集画面に表示する（ステップＳ２０６）。
【００８７】
［実施例３の効果］
上述したように、実施例３によれば、編集画面表示制御部２６ｂが、シリーズ相互間に関連性がある場合に、関連性を有する複数のシリーズを示す一覧情報を、いずれか一つのシリーズの撮像条件を編集するための編集画面とともに一画面内に表示する。また、撮像選択操作受付部２６ｄが、編集画面表示制御部２６ｂによって表示された一覧情報において複数のシリーズの内いずれか一つのシリーズを選択する選択操作を受け付ける。また、編集画面切替部２６ｅ及び編集画面表示制御部２６ｂが、一画面内に表示中の編集画面を、選択されたシリーズの撮像条件を編集するための編集画面に切り替えて表示する。
【００８８】
このように、実施例３によれば、操作者は、一覧情報（実施例３においてはタブ）を使って編集画面を簡便に切り替えることができるので、操作者の負担を軽減することが可能になる。
【００８９】
また、実施例３によれば、編集画面表示制御部２６ｂは、一覧情報を編集画面とともに表示する際に、複数のシリーズの内、表示中の編集画面に対応するシリーズがいずれであるかが明らかとなるように、該当するシリーズを強調表示する。各シリーズの編集画面は一見すると類似する画面であることが多く、従来、操作者は、どのシリーズの撮像条件を編集しているかを感覚的に把握することが難しかった。この点、実施例３によれば、操作者は、どのシリーズの撮像条件を編集しているかを視覚的に把握することが可能になり、この点においても、操作者の負荷を軽減することが可能になる。ひいては、操作者によるミスオペレーションを減少させることも可能になる。
【実施例４】
【００９０】
次に、実施例４に係るＭＲＩ装置１００を説明する。実施例４に係るＭＲＩ装置１００は、実施例３に係るＭＲＩ装置１００と同様の機能に加え、編集画面の切替が、位置決め画像上に示されたＲＯＩと連動する機能を有する。以下、図１６を用いて、実施例４に係るＭＲＩ装置１００を説明する。
【００９１】
図１６は、編集画面と位置決め画像との連動を説明するための図である。図１６に表示されている被検体の画像は、位置決め画像であり、スティッチング処理が施されたスティッチング画像である。また、図１６において、ＲＯＩは、点線の枠にて示される。また、選択されたＲＯＩは、実線の枠にて示される。実施例４において、ＲＯＩの情報は、記憶部２３に記憶されているが、例えば、シリーズの識別情報と対応付けて記憶されている。例えば、胸部のＲＯＩの情報は、胸部のシリーズの識別情報『胸部』と対応付けて記憶され、腹部のＲＯＩの情報は、腹部のシリーズの識別情報『腹部』と対応付けて記憶され、下腹部のＲＯＩの情報は、下腹部のシリーズの識別情報『下腹部』と対応付けて記憶される。
【００９２】
さて、編集画面表示制御部２６ｂは、例えば、識別情報『胸部』が記載されたタブ、識別情報『腹部』が記載されたタブ、及び識別情報『下腹部』が記載されたタブの３つのタブ付きの編集画面を表示するとともに、予め収集された位置決め画像も表示部２５に表示する。例えば、実施例４における編集画面表示制御部２６ｂは、図１６に例示する位置決め画像を他のウィンドウで表示する。
【００９３】
図１６に例示する位置決め画像には、胸部のＲＯＩ、腹部のＲＯＩ、下腹部のＲＯＩの全てが表示されている。各ＲＯＩは、上述したように、それぞれ、識別情報『胸部』、識別情報『腹部』、及び識別情報『下腹部』とそれぞれ対応付けて記憶されている。このため、例えば、操作者が、位置決め画像上のＲＯＩの内、腹部のＲＯＩをマウスによってクリックすると、撮像選択操作受付部２６ｄは、腹部のＲＯＩが選択されたとの選択内容を編集画面切替部２６ｅに通知する。なお、このとき、図１６の例では、選択された『腹部』のＲＯＩが、『胸部』や『下腹部』のＲＯＩよりも強調表示される。例えば、『腹部』のＲＯＩは実線で表示され、『胸部』や『下腹部』のＲＯＩは点線で表示される。
【００９４】
すると、実施例４における編集画面切替部２６ｅは、記憶部２３を参照し、腹部のＲＯＩの情報が識別情報『腹部』と対応付けて記憶されていることから、識別情報『腹部』の撮像条件を編集するための編集画面に切り替えて表示するように、編集画面表示制御部２６ｂに通知する。すると、編集画面表示制御部２６ｂは、図１６に例示するように、腹部のシリーズの撮像条件に含まれる各パラメータを設定するための操作ツールを表示する。
【００９５】
また、上述したように、編集画面は位置決め画像上に示されたＲＯＩと連動している。このため、例えば反対に、操作者が、識別情報『胸部』が記載されたタブをマウスによって再びクリックすると、今度は、『胸部』のＲＯＩが強調表示される。
【００９６】
具体的には、撮像選択操作受付部２６ｄは、識別情報『胸部』が選択されたとの選択内容を編集画面切替部２６ｅに通知し、編集画面切替部２６ｅは、識別情報『胸部』の撮像条件を編集するための編集画面に切り替えて表示するように、編集画面表示制御部２６ｂに通知する。すると、編集画面表示制御部２６ｂは、一画面内に表示中の編集画面を、胸部のシリーズの撮像条件を編集するための編集画面に切り替えて表示するとともに、『胸部』のＲＯＩを強調表示する。すなわち、編集画面表示制御部２６ｂは、『胸部』のＲＯＩの情報が識別情報『胸部』と対応付けて記憶されていることから、『胸部』のＲＯＩが『腹部』や『下腹部』のＲＯＩよりも強調表示されるように、例えば『胸部』のＲＯＩを実線で表示し、『腹部』や『下腹部』のＲＯＩを点線で表示する。なお、強調表示は、他の手法によって行われてもよい。例えば、輝度の違いで強調表示してもよい。
【００９７】
このように、ＲＯＩと編集画面とは連動しており、ＲＯＩを選択することで編集画面を切り替えることができる。このとき、選択中のＲＯＩや編集画面のタブを強調表示（選択状態に）することもできる。また反対に、編集画面のタブを選択することで、選択中の編集画面に対応するＲＯＩを強調表示（選択状態に）することもできる。
【００９８】
［実施例４の効果］
上述したように、実施例４によれば、編集画面表示制御部２６ｂは、さらに、シリーズごとにＲＯＩが設定された位置決め画像を表示する。また、撮像選択操作受付部２６ｄは、さらに、位置決め画像において複数のＲＯＩの内いずれか一つのＲＯＩを選択する選択操作を受け付ける。また、編集画面切替部２６ｅ及び編集画面表示制御部２６ｂは、さらに、一画面内に表示中の編集画面を、選択されたＲＯＩに対応するシリーズの撮像条件を編集するための編集画面に切り替えて表示する。
【００９９】
このようなことから、実施例４によれば、編集画面の切替が、位置決め画像上に表示されたＲＯＩとも連動するので、操作者は、タブもしくはＲＯＩのいずれによっても編集画面を切り替えることができ、より簡便かつ柔軟に編集画面を切り替えることができる。この結果、操作者の負担をより軽減することが可能になる。
【０１００】
なお、実施形態のＭＲＩ装置１００は、図１６に例示した編集画面の他に、例えば図１７及び１８に例示する編集画面を表示するものであってもよい。図１７及び１８は、実施例４に係る編集画面の他の例を説明するための図である。
【０１０１】
例えば、図１７において、編集画面表示制御部２６ｂは、一画面内に、シリーズリストと、タブ付きの編集画面そのものと、ＲＯＩが表示された位置決め画像とを表示する。なお、図１７において示す配置は一例に過ぎない。
【０１０２】
ＲＯＩと編集画面との連動は上述の通りであるが、編集画面表示制御部２６ｂは、さらに、シリーズリストとの連動も実現する。実施例３においては、『胸部』、『腹部』、及び『下腹部』の３つのシリーズが選択されたことにより、関連性を有する複数のシリーズを示す一覧情報として、この３つのシリーズに対応するタブを表示すると説明した。ここで、図１７において、編集画面表示制御部２６ｂは、この選択を動的に変更し、表示される一覧情報やＲＯＩを動的に変更する。
【０１０３】
例えば、図１７において、シリーズの選択は、チェックボックスで行われる。例えば、操作者が、『下腹部』のシリーズのチェックボックスをはずしたとする。すると、例えば、編集画面表示制御部２６ｂは、シリーズ選択受付部２６ａから『下腹部』のシリーズが外されたとの情報を受け付け、表示部２５に表示中の一覧情報の内、『下腹部』のタブを非表示とする。また、例えば、編集画面表示制御部２６ｂは、位置決め画像上に表示中のＲＯＩの内、『下腹部』のＲＯＩを非表示とする。
【０１０４】
なお、このようなシリーズリストとの連動は、一画面内にシリーズリストが表示されていると否とにかかわらず、可能である。すなわち、シリーズリストが別ウィンドウに表示されている場合などにも、編集画面表示制御部２６ｂは、シリーズ選択の動的な変更に対応して、表示する一覧情報やＲＯＩを動的に変更することができる。
【０１０５】
また、例えば、編集画面表示制御部２６ｂは、図１８に示すように、位置決め画像として、スティッチング処理前の画像を表示してもよい。なお、図１８において示す配置は一例に過ぎない。
【０１０６】
この場合にも、編集画面表示制御部２６ｂは、ＲＯＩと編集画面とを連動させることができる。また、編集画面表示制御部２６ｂは、シリーズ選択の動的な変更に対応して、表示する一覧情報やＲＯＩを動的に変更することができる。なお、ＲＯＩの強調表示は、ＲＯＩ自体を強調表示する手法の他、３つの位置決め画像の内、該当するＲＯＩを表示する位置決め画像全体を強調表示する手法（位置決め画像の枠を太枠や輝度の高い枠にするなど）や、その組み合わせなどでもよい。
【実施例５】
【０１０７】
その他、本発明は、上記実施例以外にも、種々の異なる形態にて実施されてよいものである。
【０１０８】
［本撮像及び事前撮像の例］
上記実施例１及び２においては、同一のシリーズに本撮像及び事前撮像が含まれる場合として、造影ＭＲＡを挙げて説明したが、本発明はこれに限られるものではない。以下、他の例を挙げて説明する。
【０１０９】
［横隔膜の位置を同期信号として用いる同期撮像］
例えば、本発明に係るＭＲＩ装置は、横隔膜の位置を同期信号として用いる同期撮像にも同様に適用することができる。例えば心臓を撮像する場合などには、呼吸の影響をできるだけ低減することが望まれる。このため、横隔膜の位置を同期信号として用いる同期撮像においては、本撮像用のＲＯＩとは別に、事前撮像用のＲＯＩとして横隔膜を含む領域が設定され、横隔膜の位置を検出するための事前撮像が本撮像に先行して行われ、事前撮像にて検出された横隔膜の位置が同期信号として用いられる。なお、１シリーズにおいて、事前撮像と本撮像との組合せが繰り返し行われる。
【０１１０】
例えば、ＭＲＩ装置は、事前撮像において、事前撮像用のＲＯＩを本撮像用のＲＯＩとは異なる励起方法で励起し、動き検出用のデータを取得する。次に、ＭＲＩ装置は、取得したデータからｎａｖｉｇａｔｏｒと呼ばれる信号を生成する。そして、ＭＲＩ装置は、ｎａｖｉｇａｔｏｒ信号から横隔膜の位置を検出し、横隔膜の位置の変化量に応じて、本撮像におけるハードウェアの制御方法やデータ収集の採否を判定する。また、ＭＲＩ装置は、本撮像において収集されるデータの動き補正に必要な移動量を、横隔膜の移動量に一定比率を乗じて算出する。
【０１１１】
このような場合、ＭＲＩ装置は、例えば、横隔膜を含む領域からデータを収集する事前撮像と、心臓を含む領域からデータを収集する本撮像とを示す一覧情報を、例えば事前撮像の撮像条件を編集するための編集画面とともに一画面内に表示する。また、ＭＲＩ装置は、例えば、一覧情報において本撮像を選択する選択操作を受け付けると、一画面内に表示中の編集画面を、選択された本撮像の撮像条件を編集するための編集画面に切り替えて表示する。
【０１１２】
［心電同期撮像］
また、例えば、本発明に係るＭＲＩ装置は、心電同期撮像にも同様に適用することができる。心電同期撮像においては、同期タイミングを決定するための事前撮像が本撮像に先行して行われる。
【０１１３】
例えば、ＭＲＩ装置は、事前撮像において、被検体の体表に装着された心電計測部からＥＣＧ（Electrocardiogram）信号を取得し、Ｒ波のピーク到達時間からの遅延時間を動的に変更しながら複数枚の血流像を取得する。すると、医師などが、複数枚の血流像を目視観察し、例えば収縮期及び拡張期それぞれにおける最適な遅延時間を決定し、本撮像の撮像条件に含まれるパラメータとして、遅延時間を設定する。こうして、ＭＲＩ装置は、事前撮像において決定された最適な遅延時間を同期タイミングとして、本撮像を行う。
【０１１４】
このような場合、ＭＲＩ装置は、例えば、複数枚の血流像を取得する事前撮像と、収縮期及び拡張期それぞれにおける最適な遅延時間を同期タイミングとして行われる本撮像それぞれとを示す一覧情報を、複数の撮像の内いずれか一つの撮像の撮像条件を編集するための編集画面とともに一画面内に表示する。また、ＭＲＩ装置は、例えば、一覧情報において他の撮像を選択する選択操作を受け付けると、一画面内に表示中の編集画面を、選択された他の撮像の撮像条件を編集するための編集画面に切り替えて表示する。
【０１１５】
［非造影アンギオグラフィ］
また、例えば、本発明に係るＭＲＩ装置は、非造影アンギオグラフィにも同様に適用することができる。非造影アンギオグラフィとは、被検体に造影剤を投与することなく、被検体内の血管像や血流の情報を得る撮像である。非造影アンギオグラフィにおいて、フローボイド現象が発生すると、収集するＭＲＩエコー信号の強度が低下するなどの不都合が生じる。このため、フローボイドの程度を事前に把握し、フローボイドを考慮したパラメータを被検体ごとに設定することが望ましい。また、例えば下肢の血管を撮像する場合、血管の流速には個人差がある。このため、血流速度の情報も被検体ごとに予め収集し、血流速度を考慮したパラメータを被検体ごとに設定することが望ましい。
【０１１６】
例えば、ＭＲＩ装置は、事前撮像において、パラメータの値を動的に変更しながら複数回の撮像を実行する。パラメータとは、例えば、フローボイド現象に関するディフェーズ（ｄｅｐｈａｓｅ）パルスの強度、実効ＴＥ（Echo  Time）時間、フロー補償パルス、ＴＩ（Inversion  Time）時間、ＥＴＳ（Echo  Train  Spacing）時間、脂肪抑制パルスＦａｔＳａｔのフリップ角、脂肪抑制パルスＦａｔＳａｔを印加した後のＴＩ時間、ＭＴ（Magnetization  Transfer）パルスのフリップ角、リフォーカスパルスのフリップ角などである。
【０１１７】
例えば、ＭＲＩ装置は、被検体の体表に装着された心電計測部からＥＣＧ信号を取得し、Ｒ波のピーク到達時間から同一の遅延時間、すなわち同一心時相で、被検体の撮像部位に対するデータ収集を、パラメータの値を動的に変更しながら複数回行う。これにより、同一撮像部位に対する複数枚の画像データが収集され、それぞれ再構成される。すると、医師などが、再構成された複数枚の画像を目視観察し、例えば最も画質に優れた画像を指定する。こうして、指定された画像に対して設定していたパラメータの値が特定され、特定されたパラメータの値が本撮像において用いられる。
【０１１８】
このような場合、ＭＲＩ装置は、例えば、パラメータの値を動的に変更しながら複数回行われる事前撮像それぞれと本撮像とを示す一覧情報を、複数の撮像の内いずれか一つの撮像の撮像条件を編集するための編集画面とともに一画面内に表示する。また、ＭＲＩ装置は、例えば、一覧情報において他の撮像を選択する選択操作を受け付けると、一画面内に表示中の編集画面を、選択された他の撮像の撮像条件を編集するための編集画面に切り替えて表示する。
【０１１９】
［医用画像診断装置］
また、上記実施例１〜４においては、本発明に係る医用画像診断装置として、ＭＲＩ装置を挙げて説明したが、本発明はこれに限られるものではない。Ｘ線ＣＴ（Computed  Tomography）装置や、ＰＥＴ（Positron Emission Tomography）装置などにも、本発明を同様に適用することができる。
【０１２０】
［編集画面の切替］
また、上記実施例１〜４においては、編集画面としていずれか一つの撮像（又はシリーズ）に対応する編集画面を表示し、選択操作に応じて編集画面を切り替える事例を説明したが、本発明はこれに限られるものではない。例えば、同一のシリーズに含まれる本撮像及び事前撮像の編集画面全てを、撮像の識別情報付きの編集画面として同時に表示してもよい。例えば、『ＦＥ_ｓｌｔ』タブ付きの本撮像用の編集画面と、『Ｐｒｅｐ』タブ付きの事前撮像用の編集画面とを一画面内に同時に表示してもよい。また、この場合に、編集中の編集画面に対応する撮像がいずれであるかが明らかとなるように、該当する撮像を強調表示してもよい。例えば、操作者が、『ＦＥ_ｓｌｔ』タブ付きの本撮像用の編集画面を編集している際には、『Ｐｒｅｐ』タブの輝度を低くして表示する。
【０１２１】
また、上記実施例１〜４においては、一覧情報として「タブ」を用いる例を説明したが、これに限られるものではない。例えば、一覧情報として「ＲＯＩ」を用いてもよい。例えば、図１６〜１８において、一覧情報としてのタブを表示せずに、位置決め画像上のＲＯＩを一覧情報として扱うことも可能である。
【０１２２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２３】
１００  ＭＲＩ装置
２０  計算機システム
２１  インタフェース部
２２  画像再構成部
２３  記憶部
２３ａ  編集画面情報記憶部
２４  入力部
２５  表示部
２６  制御部
２６ａ  シリーズ選択受付部
２６ｂ  編集画面表示制御部
２６ｃ  編集操作受付部
２６ｄ  撮像選択操作受付部
２６ｅ  編集画面切替部
【図１】
2011172912.tif 000003
【図２】
2011172912.tif 000004
【図３】
2011172912.tif 000005
【図４】
2011172912.tif 000006
【図５】
2011172912.tif 000007
【図６】
2011172912.tif 000008
【図７】
2011172912.tif 000009
【図８】
2011172912.tif 000010
【図９】
2011172912.tif 000011
【図１０】
2011172912.tif 000012
【図１１】
2011172912.tif 000013
【図１２】
2011172912.tif 000014
【図１３】
2011172912.tif 000015
【図１４】
2011172912.tif 000016
【図１５】
2011172912.tif 000017
【図１６】
2011172912.tif 000018
【図１７】
2011172912.tif 000019
【図１８】
2011172912.tif 000020